(57)【特許請求の範囲】
【請求項１】
編集のため装着されている記録媒体又はその記録部分のうち文字情報の付加の対象とするものの選択及びそれに付加すべき文字情報の入力を受け入れ、入力された文字情報を、選択された記録媒体の所定位置又は記録部分が選択された記録媒体の対応位置に書き込む文字情報付加装置において、
前記付加対象の選択の受入れと、前記文字情報の入力の受入れと、前記記録媒体への前記文字情報の書き込みとは、文字情報の付加の対象とする各ものごとに、完結して行なうようになっているとともに、
前記付加対象の選択の受入れは、前記文字情報の入力の受入れ後に行い、
前記文字情報の入力の受入れ前に、装着された記録媒体又はその記録部分のうち任意のものの選択の受入れを、仮の前記付加対象の選択の受入れとして行い、選択された記録媒体又は記録部分に対して既に付加されている文字情報を、前記文字情報の入力の受入れ用の領域に読み出すことを特徴とする文字情報付加装置。
【請求項２】
前記記録媒体への前記入力文字情報の書込みの後、その入力文字情報を破棄するか否かの指示を受け入れ、指示に応じてその文字情報を破棄し又は維持することを特徴とする請求項１に記載の文字情報付加装置。
【請求項３】
選択の対象となる記録媒体又はその記録部分のうち文字情報の付加の対象とするものの選択及びそれに付加すべき文字情報の入力を受け入れ、入力された文字情報を、選択された記録媒体の所定位置又は記録部分が選択された記録媒体の対応位置に書き込む文字情報付加方法において、
前記付加対象の選択の受入れと、前記文字情報の入力の受入れと、前記記録媒体への前記文字情報の書き込みとは、文字情報の付加の対象とする各ものごとに、完結して行なうようになっているとともに、
前記付加対象の選択の受入れは、前記文字情報の入力の受入れ後に行い、
前記文字情報の入力の受入れ前に、選択の対象となる記録媒体又はその記録部分のうち任意のものの選択の受入れを、仮の前記付加対象の選択の受入れとして行い、選択された記録媒体又は記録部分に対して既に付加されている文字情報を、前記文字情報の入力の受入れ用の領域に読み出すことを特徴とする文字情報付加方法。
【請求項４】
前記記録媒体への前記入力文字情報の書込みの後、その入力文字情報を破棄するか否かの指示を受け入れ、指示に応じてその文字情報を破棄し又は維持することを特徴とする請求項３に記載の文字情報付加方法。
【発明の詳細な説明】
【０００１】
【発明の属する技術分野】
本発明は、文字情報の付加対象とする記録媒体又はその記録部分の選択及びそれに付加すべき文字情報の入力を受け入れ、入力された文字情報をその記録媒体又は記録部分に対して付加する文字情報付加装置及び方法に関する。
【０００２】
【従来の技術】
従来、このような技術としては、ＣＤ、ＭＤなどのオーディオ機器において、特にメディアの認識性を高めるために文字タイトルを付加するものが知られている。文字タイトルの付加は、ディスクやトラックに対して行われる場合が多い。図３はその一例として、ディスク又はそのトラックについて、タイトルの入力を受入れ、タイトルを付加する処理手順を示すフローチャートである。
【０００３】
同図に示すように、処理を開始すると、まず、ステップ３１及び３２において、タイトルを付加したいディスク又はそのトラックの選択を受け入れる。これにより付加の対象となるディスク又はトラックが決まると、ステップ３３において、そのディスク又はトラックについて既に付加されているタイトルの文字列をそのディスクから読み出し、ユーザの入力内容を表示するための領域（以下、「入力エリア」という。）に表示する。
【０００４】
次に、ステップ３４及び３５において、選択されたディスク又はトラックに付加したいタイトルを構成する文字列の入力を受け入れる。文字列の入力が終了すると、入力された文字列を、ステップ３６においてディスクの所定位置に書き込み、ステップ３７において破棄する。これにより、選択されたディスク又はトラックにタイトルが付加され、入力エリアにおける入力内容の表示はクリアされる。次に、ステップ３８において、タイトル入力処理の終了が指示された否かを判定する。終了の指示がなされなかった場合はステップ３１に戻って上述の処理を繰り返し、終了の指示がなされた場合は処理を終了する。
【０００５】
【発明が解決しようとする課題】
しかしながら、このような従来技術によれば、ユーザが、選択したディスク又はトラックに対してタイトルを付加するために文字列を入力している途中でそのディスク又はトラックと入力文字列との不一致に気がついた場合、今まで入力した文字列をすべて破棄し、再度、ディスク又はトラックの選択からやり直さなければならない。また、装置の操作性にもよるが、一般に、入力に手間のかかる文字列を破棄するのは非能率的である。
【０００６】
本発明の目的は、このような従来技術の問題点に鑑み、文字情報付加装置及び方法において、選択した文字情報の付加対象と入力した文字情報とが不一致の場合に入力した文字情報を破棄して付加対象の選択からやり直さなければならないという不便さ及び非能率的性を解消することにある。
【０００７】
【課題を解決するための手段】
この目的を達成するため、第１の発明に係る文字情報付加装置は、編集のため装着されている記録媒体又はその記録部分のうち文字情報の付加の対象とするものの選択及びそれに付加すべき文字情報の入力を受け入れ、入力された文字情報を、選択された記録媒体の所定位置又は記録部分が選択された記録媒体の対応位置に書き込む文字情報付加装置において、前記選択の受入れは、前記文字情報の入力の受入れ後に行うことを特徴とする。
【０００８】
ここで、編集のために装着された記録媒体とは、装置が処理できるように装置に装填又は収納されている１又は複数の記録媒体を意味する。記録媒体としては文字情報の付加が可能なＤＶＤ−Ｒ（DVD Recordable）、ＤＶＤ−ＲＷ（DVD Rewritable）、ＣＤ−Ｒ（CD Recordable）、ＣＤ−ＲＷ（CD Rewritable）、ＭＤ（ミニ・ディスク）、半導体メモリなどが該当する。また、記録媒体がＣＤ−Ｒ、ＣＤ−ＲＷやＭＤである場合、その記録部分としては、ＴＯＣ（Table Of Contents）やＵＴＯＣ（User's ＴＯＣ）で管理されるトラックなどが該当する。また、記録媒体がＣＤ−Ｒ、ＣＤ−ＲＷ又はＭＤである場合には、「記録媒体又はその記録部分のうち文字情報の付加の対象とするもの」とは、ディスク及びトラックであり、文字情報はディスクタイトル及びトラックタイトルとしてディスク及びトラックに付加される。また、文字情報付加装置は、このような文字情報付加のための書込みを行う手段を有する。
【０００９】
この構成において、記録媒体又はその記録部分に対して文字情報を付加する場合、ユーザは、付加の対象となる記録媒体又は記録部分を選択し、かつ付加すべき文字情報を入力しなければならない。その際に従来は、付加対象の選択を行ってから文字情報の入力を行うという手順になっていたため、ユーザは、文字情報の入力中にその文字情報と選択した付加対象との不一致に気が付いたときには、付加対象の選択からやり直さなければならなかった。このような不都合は、文字情報の入力中には既に付加対象が決定されてしまっていて変更できないことにより生じると考えられる。
【００１０】
そこで本発明では、文字情報の付加対象となる記録媒体又は記録部分の選択の受入れは、文字情報の入力の受入れ後に行うようにしている。これによれば、文字情報の入力中には、文字情報とその付加対象との不一致は生じない。したがって、ユーザが文字情報の入力中に、文字情報と選択した記録媒体又は記録部分との不一致に気が付いて、入力内容を破棄し、入力をやり直さなければならないという事態が回避されることになる。
【００１１】
第２の発明に係る文字情報付加装置は、第１発明において、前記文字情報の入力の受入れ前に、装着された記録媒体又はその記録部分のうち任意のものの選択を受け入れ、選択された記録媒体又は記録部分に対して既に付加されている文字情報を、前記文字情報の入力の受入れ用の領域に読み出すことを特徴とする。ここで、入力受入れ用の領域に読み出すということは、ユーザは、読み出された内容を、ユーザが入力したものとして、利用することができることを意味する。そして、文字情報入力の受入れ前における記録媒体又は記録部分の選択の受入れは、従来の、タイトル付加の対象となるディスク又はトラックを決定するための選択の受入れとは異なる。すなわち、文字情報の付加対象を決定するというよりも専ら、既に付加されている文字情報を読み出し、これを有効利用して、後で決定される付加対象に付加する文字情報の入力を容易にするために行われるものである。したがってユーザは、ある記録媒体又は記録部分を選択し、それに付加されている文字情報を入力エリアに表示させ、これに一部修正を加えて他の記録媒体又は記録部分に付加するといった操作を行うことが可能になる。
【００１２】
第３の発明に係る文字情報付加装置は、第１又は第２発明において、前記記録媒体への前記入力文字情報の書込みの後、その入力文字情報を破棄するか否かの指示を受け入れ、指示に応じてその文字情報を破棄し又は維持することを特徴とする。これによれば、今回入力した文字情報が次回入力する文字情報と近似しているような場合は、今回入力した文字情報を破棄することなく維持して次回の文字情報の入力に利用することにより、文字情報の入力が容易になる。
【００１３】
第４の発明に係る文字情報付加方法は、選択の対象となる記録媒体又はその記録部分のうち文字情報の付加の対象とするものの選択及びそれに付加すべき文字情報の入力を受け入れ、入力された文字情報を、選択された記録媒体の所定位置又は記録部分が選択された記録媒体の対応位置に書き込む文字情報付加方法において、前記選択の受入れは、前記文字情報の入力の受入れ後に行うことを特徴とする。これによれば、第１発明の場合と同様に、ユーザが文字情報の入力中に、選択した記録部分と入力した文字情報との不一致に気が付いて入力をやり直さなければならないという事態が回避される。
【００１４】
第５の発明に係る文字情報付加方法は、第４発明において、前記文字情報の入力の受入れ前に、選択の対象となる記録媒体又はその記録部分のうち任意のものの選択を受け入れ、選択された記録媒体又は記録部分に対して既に付加されている文字情報を、前記文字情報の入力の受入れ用の領域に読み出すことを特徴とする。これによれば、第２発明の場合と同様に、ある付加対象に付加されている文字情報を有効利用して他の付加対象に文字情報を付加することができるようになる。
【００１５】
第６の発明に係る文字情報付加方法は、第１又は第２発明において、前記記録媒体への前記入力文字情報の書込みの後、その入力文字情報を破棄するか否かの指示を受け入れ、指示に応じてその文字情報を破棄し又は維持することを特徴とする。こによれば、第３発明の場合と同様に、文字情報の入力が容易となる。
【００１６】
【発明の実施の形態】
図１は本発明の一実施形態に係るタイトル付加装置において、ＣＤ−Ｒ、ＣＤ−ＲＷやＭＤのディスク又はトラックへタイトルを付加するタイトル入力処理の手順を示すフローチャートである。同図に示すように、処理を開始すると、装置はまず、ステップ１及び２において、対象となるディスク又はトラックの選択を受け入れる。この選択は、タイトルを付加したいディスク又はトラックを仮に決定するため、あるいは選択されたディスク又はトラックに対し既に付加されているタイトルを読み出すために行われる。なお、タイトル付加の対象となるディスク又はトラックの最終的決定は後のステップ６及び７においてなされる。
【００１７】
ディスク又はトラックの選択が終了すると、次のステップ３において、選択されたディスク又はトラックに対して既に付加されているタイトルの文字情報を、文字情報の入力領域に読み出し、入力エリアに表示する。次にステップ４及び５において、付加すべきタイトルの文字列の入力を受け入れる。このとき、ユーザはステップ３において読み出され、入力エリアに表示されている文字列を見て確認しながら、それに部分的に変更を加えるなどして適宜有効利用し、入力を行うことができる。
【００１８】
文字列の入力が完了すると、ステップ６及び７において、入力された文字列を付加する対象となるディスク又はトラックの選択を受け入れる。これにより、タイトルが付加されるディスク又はトラックが最終的に決定されることになる。次に、ステップ８において、決定されたディスク又はトラックに対応するそのディスクのＴＯＣ又はＵＴＯＣ内の位置に、入力された文字列を書き込む。これにより、ユーザが希望するディスク又はトラックに対してタイトルが付加されたことになる。
【００１９】
次に、入力された文字列をステップ９において破棄した後、ステップ１０において、タイトル入力処理を終了するか否かの指示を受け入れる。指示が終了であればタイトル入力処理を終了し、終了でなければ再度ステップ１へ戻って上述の処理を繰り返す。
【００２０】
これによれば、入力したタイトルを付加すべきディスク又はトラックをタイトルの入力後に決定するようにしたため、ユーザがタイトルの入力中にタイトルとディスク又はトラックとの不一致に気付いた場合にタイトルを入力し直さなければならないという従来の不便さを解消することができる。
【００２１】
また、ユーザは、ステップ１及び２で選択したディスク又はトラックに付与されているタイトルをステップ３で読み出し、これにステップ４及び５で部分的変更を加えて新たなタイトルを作成し、これを、ステップ６で選択したディスク又はトラックに対して付加することができるため、タイトルの付加を効率的に行うことができる。
【００２２】
また、一度タイトルを付加したディスク又はトラックのすべてについてタイトルをずらして付加し直す操作を簡単に行うことができる。たとえば、ｎ曲が含まれ、それぞれにタイトルが付加されたディスクについて、１曲目からｎ−１曲目までのタイトルを２曲目からｎ曲目までのタイトルとして１曲ずつずらして付加し直す場合を考える。この場合は、まずｎ−１曲目のタイトルをステップ２及び３で読み出し、ステップ４及び５ではそのタイトルに何も変更を加えず、そしてステップ６及び７においてｎ曲目を選択することにより、ｎ−１曲目のタイトルをｎ曲目のタイトルとして付加し直す。次に、同様にして、ｎ−２曲目のタイトルをｎ−１曲目のタイトルとする。これを１曲目まで繰り返すことにより、簡単に１〜（ｎ−１）曲目のタイトルを移動させ、２〜ｎ曲目のタイトルとして付加し直することができる。
【００２３】
図２は本発明の別の実施形態に係るタイトル付加装置において、ＣＤ−Ｒ、ＣＤ−ＲＷやＭＤのディスク又はトラックへタイトルを付加する際のタイトル入力処理の手順を示すフローチャートである。この処理手順において、ステップ２１〜２８は、図１のステップ１〜８と同様である。異なるのは、図１のステップ１０の代わりにステップ２９、３０及び４１を導入した点である。すなわち、ステップ２８における入力文字列書込み処理の後、その入力文字列を図１のステップ９のように破棄することなく、ステップ２９へ進む。そしてステップ２９では、タイトル入力処理を終了するか否かの指示を受け入れる。指示が終了であればタイトル入力処理を終了し、終了でなければステップ３０へ進む。ステップ３０では入力文字列を破棄するか否かの指示を受け入れる。破棄する旨の指示がなかったときはステップ２４へ戻り、破棄する旨の指示があったときは、ステップ４１で入力文字列を破棄してからステップ２１へ戻る。
【００２４】
これによれば、ユーザは、ステップ３０において入力文字列を破棄せずに維持すれば、その文字列を、ステップ２４における次のタイトル入力において利用することができる。したがって、タイトルの入力を容易に行うことができる。
【００２５】
【発明の効果】
以上説明したように本発明によれば、文字情報の付加対象の選択の受入れを、文字情報の入力を受け入れた後に行うようにしたため、ユーザが文字情報の入力中に、文字情報と付加対象との不一致に気が付いて、入力した文字情報を破棄し、入力をやり直すという不便かつ非能率的な事態を回避することができる。
【００２６】
また、文字情報の入力の受入れ前において記録媒体又は記録部分の選択を受け入れ、それに既に付加されている文字情報を読み出すようにしたため、ユーザは、その文字情報を有効利用して付加対象に付加する文字情報を入力することができる。
【００２７】
さらに、文字情報の書込み後、ユーザの指示に応じてその文字情報を破棄し又は維持するようにしたため、ユーザは破棄せずに維持した文字情報を有効利用して次に付加すべき文字情報の入力を容易に行うことができる。
【図面の簡単な説明】
【図１】本発明の一実施形態に係るタイトル付加装置におけるタイトル入力処理の手順を示すフローチャートである。
【図２】本発明の別の実施形態に係るタイトル付加装置におけるタイトル入力処理の手順を示すフローチャートである。
【図３】従来例に係るタイトル入力処理手順を示すフローチャートである。
【図１】
0004256062.tif 000002
【図２】
0004256062.tif 000003
【図３】
0004256062.tif 000004